(57)【特許請求の範囲】
【請求項１】
ヘッドボックスとボトムボックスとの間でボトムレールを移動させることにより、ヘッドボックスとボトムレールとの間に支持される日射遮蔽材を移動させる天窓用ブラインドにおいて、
前記ヘッドボックスを支持する複数の取付ブラケットを前記ヘッドボックスの全長とほぼ等しい長さのブラケットフレームに取着したことを特徴とする天窓用ブラインドのヘッドボックス取付装置。
【請求項２】
前記ヘッドボックスを支持する複数の取付ブラケットを前記ボトムボックスの全長とほぼ等しい長さのブラケットフレームに取着したことを特徴とする請求項１記載の天窓用ブラインドのヘッドボックス取付装置。
【請求項３】
前記ブラケットフレームは、前記各支持ブラケットの取付位置及び取付け角度を同一に設定する支持片を備えたことを特徴とする請求項１乃至２のいずれかに記載の天窓用ブラインドのヘッドボックス取付装置。
【請求項４】
前記ヘッドボックスを取付けるブラケットフレームと、前記ボトムボックスを取付けるブラケットフレームとをサイドフレームで接続して、四角枠状としたことを特徴とする請求項２乃至３のいずれかに記載の天窓用ブラインドのヘッドボックス取付装置。
【請求項５】
前記ヘッドボックス内には、前記日射遮蔽材をモータの駆動力で移動させる制御装置を設け、前記制御装置の配線コードを、前記ヘッドボックスを取付けるブラケットフレーム内に挿通したことを特徴とする請求項１乃至４記載のいずれかに記載の天窓用ブラインドのヘッドボックス取付装置。
【発明の詳細な説明】
【０００１】
【発明の属する技術分野】
この発明は、傾斜窓あるいは天窓等に設置される天窓用横型ブラインド、天窓用ロールブラインドのヘッドボックス取付装置に関するものである。
【０００２】
【従来の技術】
天窓用ブラインドは、ヘッドボックス及びボトムボックスが窓枠等に固定され、そのヘッドボックスとボトムボックスとの間でスラット及びボトムレールが水平方向あるいは傾斜した窓面に沿って昇降される。
【０００３】
実用新案登録公報第２５０６４８７号には、ヘッドボックスを複数個の取付けブラケットを介して窓枠に固定するヘッドボックス取付装置が開示されている。
【０００４】
【発明が解決しようとする課題】
上記のようなヘッドボックス取付装置では、複数の取付ブラケットが窓枠にあらかじめ固定され、その取付ブラケットにヘッドボックスを取付ける構成である。
【０００５】
従って、各取付ブラケット間において、取付け位置あるいは取付け角度にずれが生じていると、ヘッドボックスを各取付ブラケットに確実に取付けることができない。また、ヘッドボックスが窓枠あるいはボトムボックスに傾いて取付けられることもある。
【０００６】
そこで、各取付ブラケットの取付け位置及び取付け角度を正確に揃える必要があるが、そのような作業は煩雑であるという問題点がある。
この発明の目的は、窓枠に対しヘッドボックスを容易にかつ確実に固定し得る天窓用ブラインドのヘッドボックス取付装置を提供することにある。
【０００７】
【課題を解決するための手段】
請求項１では、ヘッドボックスとボトムボックスとの間でボトムレールを移動させることにより、ヘッドボックスとボトムレールとの間に支持される日射遮蔽材を移動させる天窓用ブラインドにおいて、前記ヘッドボックスを支持する複数の取付ブラケットを前記ヘッドボックスの全長とほぼ等しい長さのブラケットフレームに取着した。
【０００８】
請求項２では、前記ヘッドボックスを支持する複数の取付ブラケットを前記ボトムボックスの全長とほぼ等しい長さのブラケットフレームに取着した。
【０００９】
請求項３では、前記ブラケットフレームは、前記各支持ブラケットの取付位置及び取付け角度を同一に設定する支持片を備えた。
請求項４では、前記ヘッドボックスを取付けるブラケットフレームと、前記ボトムボックスを取付けるブラケットフレームとをサイドフレームで接続して、四角枠状とした。
【００１０】
請求項５では、前記ヘッドボックス内には、前記日射遮蔽材をモータの駆動力で移動させる制御装置を設け、前記制御装置の配線コードを、前記ヘッドボックスを取付けるブラケットフレーム内に挿通した。
【００１１】
【発明の実施の形態】
以下、この発明を具体化した天窓用電動横型ブラインドの一実施の形態を図面に従って説明する。
【００１２】
図１に示すように、天窓用電動横型ブラインドはヘッドボックス１、サイドフレーム２及びボトムボックス３が天窓の窓枠等に固定される。
前記ヘッドボックス１とボトムボックス３との間には、少なくとも２本のテンションワイヤー４が多数枚のスラット５及びボトムレール６を貫通した状態で天窓面に沿って例えば水平方向に張設される。
【００１３】
前記各スラット５は、前記ヘッドボックス１内に配設されるラダーコード支持装置から吊下支持されるラダーコード７にそれぞれ支持され、同ラダーコード７の下端は前記ボトムレール６に取着されている。
【００１４】
前記ヘッドボックス１内には、巻取軸８が回転可能に支持され、その巻取軸８はヘッドボックス１内の一端に配設されるモータ９により正逆転可能に回転駆動される。前記モータ９は、操作装置（図示しない）の操作により動作する。また、巻取軸８の回転にともなって、ラダーコード支持装置及びラダーコード７を介して各スラット５が角度調節される。
【００１５】
前記巻取軸８の両端部には引き上げ用ワイヤー１０の端部が巻着され、その引き上げ用ワイヤー１０は前記ラダーコード７の近傍で各スラット５に貫通されるとともに、中間部が前記ボトムレール６に掛装されている。
【００１６】
そして、巻取軸８がスラット引き上げ方向に回転されると、引き上げワイヤー１０が巻取軸８に巻き取られて、ボトムレール６がヘッドボックス１に向かって移動する。
【００１７】
前記引き上げ用ワイヤー１０間において、前記ヘッドボックス１とボトムボックス３及びボトムレール６間には引き下げ用ワイヤー１１が張設されている。
引き下げ用ワイヤー１１は、前記ボトムレール６内に挿通され、ボトムレール６の両端部底面から前記ボトムボックス３内に案内され、ボトムボックス３の背面に開口するコードゲート１２ａ，１２ｂを経て、各スラット５の背面をヘッドボックス１に向かって案内される。
【００１８】
そして、ヘッドボックス１の背面に開口するコードゲート１３ａ，１３ｂを経てヘッドボックス１内に案内され、同ヘッドボックス１内において前記巻取軸８に巻着される。
【００１９】
前記引き下げ用ワイヤー１１の巻取軸８への巻着方向は、前記引き上げ用ワイヤー１０とは逆方向であり、引き下げ用ワイヤー１１が巻き取られるとき、引き上げ用ワイヤー１０が巻き戻されるようになっている。
【００２０】
また、引き上げ用ワイヤー１０が巻き取られるとき、引き下げ用ワイヤー１１が巻き戻される。
前記ヘッドボックス１及びボトムボックス３を窓枠に取付けるための取付装置を説明する。図２に示すように、前記ヘッドボックス１は取付ブラケット１４及びブラケットフレーム１５ａを介して窓枠に取着される。前記ボトムボックス３も同様な取付ブラケット１４及びブラケットフレーム１５ｂを介して窓枠に取着される。
【００２１】
前記ブラケットフレーム１５ａは、アングル状の形材で形成され、その内側に取付ブラケット１４を支持するための支持片１６ａ〜１６ｃが形成されている。前記支持片１６ａ，１６ｂ間にナットプレート１７が回転不能にかつブラケットフレーム１５ａの長手方向に移動可能に挿入されている。
【００２２】
そして、取付ブラケット１４をブラケットフレーム１５ａに固定する場合には、取付ブラケット１４に挿通されるネジをナットプレート１７に螺入して、取付ブラケット１４とナットプレート１７との間に支持片１６ａ，１６ｂを狭着することにより、取付ブラケット１４が支持片１６ａ〜１６ｃに支持された状態で、ブラケットフレーム１５ａに固定される。
【００２３】
また、ネジを緩めた状態とすれば、ナットプレート１７がブラケットフレーム１５ａに沿って移動可能であるので、図４に示すように、取付ブラケット１４はブラケットフレーム１５ａに対しスライド可能となっている。
【００２４】
前記取付ブラケット１４は、前記ヘッドボックス１を弾性的に嵌着可能とした公知の取付ブラケットである。
前記ボトムボックス３は、ヘッドボックス１と同様に、前記取付ブラケット１４及びブラケットフレーム１５ｂを介して窓枠に固定される。そして、ヘッドボックス１及びボトムボックス３を支持するブラケットフレーム１５ａ，１５ｂの両端部が前記サイドフレーム２により接続されて、ブラケットフレーム１５ａ，１５ｂ及びサイドフレーム２により四角枠が構成される。
【００２５】
図１に示すように、前記ヘッドボックス１の一端部には上限リミッター１８が設けられ、他端部には下限リミッター１９が設けられる。そして、ボトムレール３がヘッドボックス１近傍まで引き上げられたとき、上限リミッター１８が作動してモータ９の作動が停止され、スラットの引き上げ動作が停止される。
【００２６】
また、ボトムレール６がボトムボックス３近傍まで引き下げられたとき、下限リミッター１９が作動してモータ９の作動が停止され、スラットの引き下げ動作が停止される。前記下限リミッター１９は、巻取軸８の回転量に基づいて下限位置を検出する。
【００２７】
図５に示すように、前記ヘッドボックス１の一端部において、前記ブラケットフレーム１５ａの外部には、リモコン受光部２０が設けられている。そして、リモコン操作装置（図示しない）から出力される発光信号を受信可能となっている。
【００２８】
前記モータ９、上限リミッター１８、下限リミッター１９及びリモコン受光部２０は、配線コード２１で接続される。図２及び図５に示すように、前記配線コード２１はブラケットフレーム１５ａの内面とヘッドボックス１との間に形成される閉空間内に挿通される。
【００２９】
次に、上記のように構成された天窓用電動ブラインドの動作を説明する。操作装置の操作によりモータ９をスラット引き上げ方向に作動させると、引き上げ用ワイヤー１０が巻取軸８に巻き取られるとともに、引き下げ用ワイヤー１３が巻取軸８から巻き戻される。
【００３０】
すると、ボトムレール６がヘッドボックス１に向かって移動して、スラット５がヘッドボックス１に向かって畳み込まれる。
一方、モータ９をスラット引き下げ方向に作動させると、引き下げ用ワイヤー１３が巻取軸８に巻き取られるとともに、引き上げ用ワイヤー１０が巻取軸８から巻き戻される。
【００３１】
すると、ボトムレール６がボトムボックス３に向かって移動して、スラット５が引き出される。
上記のように構成された天窓用ブラインドでは、次に示す作用効果を得ることができる。
（１）ブラケットフレーム１５ａに複数の取付ブラケット１４を取着するとき、各取付ブラケット１４の取付位置を、ブラケットフレーム１５ａに沿って直線状に揃えることができる。また、取付けブラケット１４の取付け角度は、ブラケットフレーム１５ａの各支持片１６ａ〜１６ｃに支持されて一定となる。従って、ヘッドボックス１を各取付ブラケット１４で確実に支持することができるとともに、ヘッドボックス１をブラケットフレーム１５ａに対し平行に維持した状態で取付けることができる。
（２）取付ブラケット１４をブラケットフレーム１５ａに容易に取着することができるとともに、ヘッドボックス１を取付ブラケット１４に容易に取着することができる。従って、ヘッドボックス１をブラケットフレーム１５ａに容易に取着することができる。
（３）配線コード２１をブラケットフレーム１５ａ内に配設することができる。従って、ヘッドボックス１内に配線コード２１を収容する必要がないので、ヘッドボックス１の小型化を図ることができるとともに、組み立て作業を容易に行うことができる。
（４）ヘッドボックス１と同様に、ボトムボックス３をブラケットフレーム１５ｂに容易に取着することができる。
（５）ブラケットフレーム１５ａ，１５ｂの両端がサイドフレーム２で接続されて、ブラケットフレーム１５ａ，１５ｂが平行であれば、ヘッドボックス１とボトムボックス３とを平行な状態で容易に取着することができる。
【００３２】
上記実施の形態は、次に示すように変更することもできる。
・図６に示すように、リモコン受光部２０をブラケットフレーム１５内に配設してもよい。
・天窓用横型ブラインドは、傾斜窓に沿って傾斜させた状態で支持してもよい。
・天窓用電動ロールブラインドにも上記構成を応用することができる。
・手動型の天窓用横型ブラインドあるいは天窓用ロールブラインドに使用することもできる。
【００３３】
【発明の効果】
以上詳述したように、この発明は窓枠に対しヘッドボックスを容易にかつ確実に固定し得る天窓用ブラインドのヘッドボックス取付装置を提供することができる。
【図面の簡単な説明】
【図１】  天窓用ブラインドを示す背面図である。
【図２】  ヘッドボックス取付装置を示す断面図である。
【図３】  ヘッドボックス取付装置を示す側面図である。
【図４】  ヘッドボックス取付装置を示す正面図である。
【図５】  ヘッドボックス取付装置にヘッドボックスを取付けた状態を示す正面図である。
【図６】  別例を示す正面図である。
【符号の説明】
１        ヘッドボックス
３        ボトムボックス
５        日射遮蔽材（スラット）
６        ボトムレール
１４        取付ブラケット
１５        ブラケットフレーム
【図１】
0003695697.tif 000002
【図２】
0003695697.tif 000003
【図３】
0003695697.tif 000004
【図４】
0003695697.tif 000005
【図５】
0003695697.tif 000006
【図６】
0003695697.tif 000007